(57)【特許請求の範囲】
【請求項１】
高周波成分を除去する低域通過フィルタを含む線形増幅器と、
原入力信号を受け、該線形増幅器の前段に設けられた原点回避回路であって、前記原入力信号が原点付近をサンプルしている場合には、そのサンプル値を固定値に置き換えて、修正した入力信号を前記線形増幅器に供給する、前記原点回避回路と、
を有する線形増幅装置。
【請求項２】
前記線形増幅器は、ＬＩＮＣ（Linear Amplification using Nonlinear Components）方式線形増幅器から成る、請求項１に記載の線形増幅装置。
【請求項３】
前記原点回避回路は、
前記原入力信号が原点付近をサンプルしているか否かを比較する比較器と、
該比較器において、前記原入力信号が前記原点付近をサンプルしてないと判断された場合には、前記原入力信号をそのまま前記修正した入力信号として前記線形増幅器へ供給する無修正手段と、
前記比較器において、前記原入力信号が前記原点付近をサンプルしていると判断された場合には、前記サンプル値を複素平面上の象限に応じた固定値に置き換えて、前記修正した入力信号を前記線形増幅器に供給する修正手段と、
から成る、請求項１又は２に記載の線形増幅装置。
【請求項４】
前記修正手段は、
前記原入力信号が前記複素平面上の第何象限をサンプルしているかを判定する象限判定器と、
該象限判定器による判定結果に応じて、前記サンプル値をそれぞれの象限に応じた固定値に置き換える置換手段と、
を有する請求項３に記載の線形増幅装置。
【請求項５】
高周波成分を除去するフィルタを含む線形増幅器への入力信号の供給方法であって、
原入力信号を受け、前記原入力信号が原点付近をサンプルしている場合には、そのサンプル値を固定値に置き換えて、修正した入力信号を前記線形増幅器に供給する、供給方法。
【請求項６】
前記線形増幅器は、ＬＩＮＣ（Linear Amplification using Nonlinear Components）方式線形増幅器から成る、請求項５に記載の供給方法。
【請求項７】
比較器を使用して、前記原入力信号が原点付近をサンプルしているか否かを比較する比較ステップと、
該比較器において、前記原入力信号が前記原点付近をサンプルしてないと判断された場合には、前記原入力信号をそのまま前記修正した入力信号として前記線形増幅器へ供給する無修正ステップと、
前記比較器において、前記原入力信号が前記原点付近をサンプルしていると判断された場合には、前記サンプル値を複素平面上の象限に応じた固定値に置き換えて、前記修正した入力信号を前記線形増幅器に供給する修正ステップと、
を含む請求項５又は６に記載の供給方法。
【請求項８】
前記修正ステップは、
象限判定器を使用して、前記原入力信号が前記複素平面上の第何象限をサンプルしているかを判定する判定ステップと、
該象限判定器による判定結果に応じて、前記サンプル値をそれぞれの象限に応じた固定値に置き換える置換ステップと、
を含む請求項７に記載の供給方法。
【請求項９】
原入力信号を受け、高周波成分を除去するフィルタを含む線形増幅器に、修正した入力信号を供給する原点回避回路であって、
前記原入力信号が原点付近をサンプルしているか否かを比較する比較器と、
該比較器において、前記原入力信号が前記原点付近をサンプルしてないと判断された場合には、前記原入力信号をそのまま前記修正した入力信号として前記線形増幅器へ供給する無修正手段と、
前記比較器において、前記原入力信号が前記原点付近をサンプルしていると判断された場合には、前記サンプル値を複素平面上の象限に応じた固定値に置き換えて、前記修正した入力信号を前記線形増幅器に供給する修正手段と、
から成る、原点回避回路。
【請求項１０】
前記修正手段は、
前記原入力信号が前記複素平面上の第何象限をサンプルしているかを判定する象限判定器と、
該象限判定器による判定結果に応じて、前記サンプル値をそれぞれの象限に応じた固定値に置き換える置換手段と、
を有する請求項９に記載の原点回避回路。
【発明の詳細な説明】
【技術分野】
【０００１】
本発明は、線形増幅装置に関し、特に、線形増幅装置への入力信号供給方法、およびそれに使用される原点回避回路に関する。
【背景技術】
【０００２】
パワーアンプの低消費電力化は発熱対策にも繋がり、無線通信など様々な分野において大きな課題となっている。この課題を解決する手段の１つとして、複数の非線形増幅器を用いて信号を線形に増幅する、LINC（Linear Amplification using Nonlinear Components）方式線形増幅器があげられる。
【０００３】
LINC方式線形増幅器では、入力信号を複数の定振幅信号に変換して、複数の非線形増幅器に入力する。これにより、各非線形増幅器を常時飽和状態で動作することが可能となり、非線形増幅器をより高効率で利用できる。LINC方式線形増幅器の詳細は、例えば、特許文献１に記載されている。
【０００４】
なお、LINC方式線形増幅器は、各非線形増幅器の前段に、定振幅信号の高周波成分を制限するための低域通過フィルタを備えている。
【０００５】
しかしながら、LINC方式線形増幅器では、変換した定振幅信号が低域通過フィルタを通過した信号を時間軸波形で確認すると図６のようになり、リンギングが発生していることを確認できる。リンギングが発生するメカニズムについては、例えば、特許文献２に記載されている。
【先行技術文献】
【特許文献】
【０００６】
【特許文献１】特開２０１４−０１１６５３号公報
【特許文献２】特開２００２−０９４３５８号公報
【発明の概要】
【発明が解決しようとする課題】
【０００７】
上述したように、リンギングが発生することにより、非線形増幅器への入力信号が定振幅ではなく、振幅成分を持った信号となる。そのため、LINC方式線形増幅器の利点である、非線形増幅器の常時飽和状態での動作が出来なくなる問題が生じる。
【０００８】
本発明の目的は、上述した課題を解決する、線形増幅装置、入力信号供給方法、およびそれに使用される原点回避回路を提供することにある。
【課題を解決するための手段】
【０００９】
本発明の線形増幅装置は、高周波成分を除去する低域通過フィルタを含む線形増幅器と；原入力信号を受け、該線形増幅器の前段に設けられた原点回避回路であって、前記原入力信号が原点付近をサンプルしている場合には、そのサンプル値を固定値に置き換えて、修正した入力信号を前記線形増幅器に供給する、前記原点回避回路と；を有する。
【００１０】
本発明の入力信号供給方法は、高周波成分を除去するフィルタを含む線形増幅器への入力信号の供給方法であって、原入力信号を受け、前記原入力信号が原点付近をサンプルしている場合には、そのサンプル値を固定値に置き換えて、修正した入力信号を前記線形増幅器に供給する。
【００１１】
本発明の原点回避回路は、原入力信号を受け、高周波成分を除去するフィルタを含む線形増幅器に、修正した入力信号を供給する原点回避回路であって、前記原入力信号が原点付近をサンプルしているか否かを比較する比較器と；該比較器において、前記原入力信号が前記原点付近をサンプルしてないと判断された場合には、前記原入力信号をそのまま前記修正した入力信号として前記線形増幅器へ供給する無修正手段と；前記比較器において、前記原入力信号が前記原点付近をサンプルしていると判断された場合には、前記サンプル値を複素平面上の象限に応じた固定値に置き換えて、前記修正した入力信号を前記線形増幅器に供給する修正手段と；から成る。
【発明の効果】
【００１２】
本発明によれば、低域通過フィルタを通過した後の信号のリンギングを改善することができる。
【図面の簡単な説明】
【００１３】
【図１】本発明の一実施形態における線形増幅装置を示すブロック図である。
【図２】図１の線形増幅装置で使用される原点回避回路の動作を説明するためのフローチャートである。
【図３】本発明の実施形態で使用するLINC方式線形増幅器の構成例を示す図である。
【図４】図３に示されたLINC方式線形増幅器に供給される入力信号を、原点付近をサンプルする時の複素平面図である。
【図５】図３のLINC信号生成部から出力された定振幅信号対の複素平面波形図である。
【図６】図３のLINC信号生成部から出力された定振幅信号対がLPFを通過した信号を時間軸波形で確認した図である。
【図７】図６で示された信号の波形を示す複素平面図である。
【発明を実施するための形態】
【００１４】
［関連技術］
本発明の理解を容易するために、最初に関連技術について説明する。
【００１５】
図３は、本発明の実施形態で使用するLINC方式線形増幅器の構成例を示す図である。図示のLINC方式線形増幅器は、上記特許文献１の図１に図示したものと実質的に同様の構成を有する。
【００１６】
LINC方式線形増幅器１０３は、LINC信号生成部２０１と、２つのディジタル／アナログ変換器（ＤＡＣ）２０２と、２つの低域通過フィルタ（ＬＰＦ）２０３と、２つの直交変換器２０４と、２つの周波数変換器２０５と、２つの非線形増幅器（非線形増幅器Ａ、非線形増幅器Ｂ）と、合成器とを備える。
【００１７】
LINC信号生成部２０１には、入力変調信号Ｓｉｎが供給される。LINC信号生成部２０１は、入力変調信号Ｓｉｎをその振幅に応じた位相差を有する位相変調信号対Ｓｃ１及びＳｃ２に分離して出力する。例えば、入力変調信号Ｓｉｎは、振幅変調及び位相変調（角度変調）を伴う変調信号であり、位相変調信号対Ｓｃ１及びＳｃ２は、定包絡線となる定振幅位相変調信号である。ここでの入力変調信号Ｓｉｎと位相変調信号対Ｓｃ１及びＳｃ２とは、いずれもベースバンド信号であってもよいし、中間周波数（ＩＦ）信号であってもよい。LINC信号生成部２０１は、位相変調信号対Ｓｃ１及びＳｃ２をディジタル信号として出力する。
【００１８】
なお、入力変調信号Ｓｉｎは、入力信号とも呼ばれ、位相変調信号対Ｓｃ１及びＳｃ２は、定振幅信号対とも呼ばれる。
【００１９】
位相変調信号対の一方Ｓｃ１は、一方のＤＡＣ２０２でディジタル信号からアナログ信号に変換される。さらに、変換されたアナログ信号が、一方の低域通過フィルタ（ＬＰＦ）２０３を通過することで、位相変調信号対の一方Ｓｃ１の周波数帯域に対応する成分が抽出されるとともに、それ以外の周波数成分が抑圧される。
【００２０】
同様に、位相変調信号対の他方Ｓｃ２は、他方のＤＡＣ２０２でディジタル信号からアナログ信号に変換される。さらに、変換されたアナログ信号が、他方の低域通過フィルタ（ＬＰＦ）２０３を通過することで、位相変調信号対の他方Ｓｃ２の周波数帯域に対応する成分が抽出されるとともに、それ以外の周波数成分が抑圧される。
【００２１】
LINC方式線形増幅器１０３では、一方の直交変調器２０４は、一方の低域通過フィルタ（ＬＰＦ）２０３を通過した位相変調信号の一方Ｓｃ１を直交変調する。一方の周波数変換器２０５は、発振器（図示せず）から出力された高周波信号（発信信号）を用いてＲＦ（Radio Frequency）信号である高周波信号対の一方Ｓ１を生成して出力する。
【００２２】
同様に、他方の直交変調器２０４は、他方の低域通過フィルタ（ＬＰＦ）２０３を通過した位相変調信号の他方Ｓｃ２を直交変調する。他方の周波数変換器２０５は、発振器から出力された高周波信号を用いて、ＲＦ信号である高周波信号対の他方Ｓ２を生成して出力する。
【００２３】
増幅器対は、並列に設けられた２つの非線形増幅器を含む。図３では、一方の非線形増幅器を「非線形増幅器Ａ」で表し、他方の非線形増幅器を「非線形増幅器Ｂ」で表している。２つの非線形増幅器の利得および位相特性は、ほぼ同一である。各非線形増幅器は、対応する周波数変換器から出力された高周波信号を増幅する。
【００２４】
一方のＤＡＣ２０２から一方の非線形増幅器（非線形増幅器Ａ）までを一方のブランチともいい、他方のＤＡＣ２０２から他方の非線形増幅器（非線形増幅器Ｂ）までを他方のブランチともいう。
【００２５】
合成器は、増幅器対により増幅された高周波信号対を合成し、合成後の信号を高周波信号Ｓｏｕｔとして出力する。
【００２６】
図４は、入力信号Sinを、原点付近をサンプルする時の複素平面図（i-q平面図）である。図４に示されるように、原点付近で、入力信号Sinの位相が大きく変化していることが分かる。
【００２７】
この結果、LINC信号生成部２０１から出力された定振幅信号対Sc1及びSc2は、図５のような複素平面波形となる。
【００２８】
図６は、この定振幅信号対Sc1及びSc2がLPF２０３を通過した信号を時間軸波形で確認した図である。図６に示されるように、LPF２０３を通過した信号にリンギングが発生していることを確認できる。
【００２９】
図７は、その時の信号の波形を示す複素平面図である。
【００３０】
［実施の形態］
以下、本発明を実施する形態について図面を参照して詳細に説明する。以下の各実施形態に記載されている構成は単なる例示であり、本発明の技術範囲はそれらには限定されない。
【００３１】
図１は、本発明の一実施形態における線形増幅装置を示すブロック図である。
【００３２】
図１に示すように、図示の線形増幅器装置は、LINC方式線形増幅器１０３の前段に原点回避回路１０２を配置した構成をしている。
【００３３】
原点回避回路１０２により、LINC信号生成部２０１（図３）への入力信号Sinとして、原点付近をサンプルしないように原点付近サンプル時に任意の値を入力することで、リンギングを改善できる。
【００３４】
次に、図１に示した線形増幅装置の動作について説明する。
【００３５】
原点回避回路１０２は、送信データ生成装置１０１で生成された原入力信号を、入力信号が原点付近をサンプルしないように原点付近サンプル時に任意の値を入力（代入）して、修正した入力信号Sinを出力する。
【００３６】
原点回避回路１０２は、その修正した入力信号SinをLINC方式線形増幅器１０３のLINC信号生成部２０１（図３）に供給することで、そこで生成した定振幅信号がLPF２０３を通過したときに発生するリンギングを改善する。それにより、リンギングによって定振幅を超える最大値を10%以下まで下げることが出来る。
【００３７】
図２は、原点回避回路１０２の動作を説明するためのフローチャートである。
【００３８】
原点回避回路１０２は、その具体的な回路構成については図示していないが、比較器と象限判定器とを含む。
【００３９】
次に、図２を参照して、原点回避回路１０２の動作について説明する。
【００４０】
先ず、原点回避回路１０２は、比較器を使用して、原入力信号が原点付近をサンプルしているか否かを比較する（ステップＳ３０１）。
【００４１】
原入力信号が原点付近をサンプルしていない場合（ステップＳ３０１のＮｏ）、原点回避回路１０２は、原入力信号をそのまま修正した入力信号Sinとして出力する。
【００４２】
一方、原入力信号が原点付近をサンプルしている場合（ステップＳ３０１のＹｅｓ）、原点回避回路１０２は、象限判定器を使用して、原入力信号が複素平面上の第何象限をサンプルしているかを判定して、サンプル値をそれぞれの象限に応じた固定値に置き換えて出力する。
【００４３】
詳述すると、先ず、象限判定器は、原入力信号が複素平面上の第１象限をサンプルしているか否かを判定する（ステップＳ３０２）。原入力信号が第１象限をサンプルしていると判定した場合（ステップＳ３０２のＹｅｓ）、原点回避回路１０２は、サンプル値を第１象限に応じた固定値に置き換え（固定値を代入し）たものを、修正した入力信号Sinとして出力する（ステップＳ３０３）。
【００４４】
原入力信号が第１象限をサンプルしていないと判定した場合（ステップＳ３０２のＮｏ）、象限判定器は、原入力信号が複素平面上の第２象限をサンプルしているか否かを判定する（ステップＳ３０４）。原入力信号が第２象限をサンプルしていると判定した場合（ステップＳ３０４のＹｅｓ）、原点回避回路１０２は、サンプル値を第２象限に応じた固定値に置き換え（固定値を代入し）たものを、修正した入力信号Sinとして出力する（ステップＳ３０５）。
【００４５】
原入力信号が第２象限をサンプルしていないと判定した場合（ステップＳ３０４のＮｏ）、象限判定器は、原入力信号が複素平面上の第３象限をサンプルしているか否かを判定する（ステップＳ３０６）。原入力信号が第３象限をサンプルしていると判定した場合（ステップＳ３０６のＹｅｓ）、原点回避回路１０２は、サンプル値を第３象限に応じた固定値に置き換え（固定値を代入し）たものを、修正した入力信号Sinとして出力する（ステップＳ３０７）。
【００４６】
そして、原入力信号が第３象限をサンプルしていないと判定した場合（ステップＳ３０６のＮｏ）、原点回避回路１０２は、サンプル値を第４象限に応じた固定値に置き換え（固定値を代入し）たものを、修正した入力信号Sinとして出力する（ステップＳ３０８）。
【００４７】
次に、本実施の形態の効果について説明する。
【００４８】
以上説明した本発明の実施の形態では、以下に記載するとおりの効果を奏する。
【００４９】
原点回避回路１０２で変調波の原点付近のサンプルを回避することによって、低域通過フィルタ２０３を通過した後の信号のリンギングを改善し、非線形増幅器をより高効率で利用することが可能になる。
【００５０】
なお、本発明は、上記実施形態そのままに限定されるものではなく、実施段階ではその要旨を逸脱しない範囲で構成要素を変形して具体化できる。また、複数の構成要素の適宜な組合せにより種々の発明を形成できる。
【００５１】
以上、実施の形態を参照し本願発明を説明したが、本願発明は上記実施の形態に限定されるものではない。本願発明の構成や詳細には、本願発明のスコープ内で当業者が理解し得る様々な変更をすることができる。
【符号の説明】
【００５２】
１０１    送信データ生成装置
１０２    原点回避回路
１０３    ＬＩＮＣ方式線形増幅器
【図１】
0006730715.tif 000002
【図２】
0006730715.tif 000003
【図３】
0006730715.tif 000004
【図４】
0006730715.tif 000005
【図５】
0006730715.tif 000006
【図６】
0006730715.tif 000007
【図７】
0006730715.tif 000008